(57)【要約】      （修正有）【課題】剛構造に適した配管支持具用振止め吊下具を提供する。【解決手段】天井スラブ等の取付面に固定されて垂設される少なくとも２本の吊下支持杆に配管支持具を吊下げると共に振止めする吊下具１において、吊下具１はタンバックルであり、タンバックル本体１０の頂部板１１が山形状に曲折されており、この山形状の頂部板１１の山頂部から斜め下方に傾斜する山腹部である２つの傾斜面１２の各々に少なくとも１つずつの透孔１３が穿設され、該透孔１３に前記吊下支持杆を螺合固定するナット部材１４が回転自在に取付けられた構成であることを特徴とする。２つの傾斜面の少なくとも一方に透孔が２つ以上穿設されてナット部材が取付けられた構成としたので、１つの傾斜面に対して２本以上の吊下支持杆を連結することができるので、より高い強度を得ることで振止め効果をより向上させることができる。【選択図】図１
0003148315.tif 000002
【実用新案登録請求の範囲】
【請求項１】
天井スラブ等の取付面に固定されて垂設される少なくとも２本の吊下支持杆に配管支持具を吊下げると共に振止めする吊下具において、
前記吊下具はタンバックルであり、タンバックル本体の頂部板が山形状に曲折されており、この山形状の頂部板の山頂部から斜め下方に傾斜する山腹部である２つの傾斜面の各々に少なくとも１つずつの透孔が穿設され、該透孔に前記吊下支持杆を螺合固定するナット部材が回転自在に取付けられた構成であることを特徴とする配管支持具用振止め吊下具。
【請求項２】
配管支持バンドの如き配管支持具が取付けられる前記タンバックル本体の取付部が、前記頂部板の傾斜面の下端部を下方に延伸すると共に、前記傾斜面の面に対して同一の面方向に延伸して形成された構成であることを特徴とする請求項１に記載の配管支持具用振止め吊下具。
【請求項３】
配管支持バンドの如き配管支持具が取付けられる前記タンバックル本体の取付部が、前記頂部板の傾斜面の下端部を下方に延伸すると共に、前記傾斜面の面に対して略９０度捩った面方向に延伸して形成された構成であることを特徴とする請求項１に記載の配管支持具用振止め吊下具。
【請求項４】
配管支持バンドの如き配管支持具が取付けられる前記タンバックル本体の取付部が、前記頂部板の両側端縁部の各々を下方に延伸すると共に、前記傾斜面の面に対して略９０度捩った面方向に延伸して形成された構成であることを特徴とする請求項１に記載の配管支持具用振止め吊下具。
【請求項５】
配管支持バンドの如き配管支持具が取付けられる前記タンバックル本体の取付部が、前記頂部板の両側端縁部の各々を下方に延伸すると共に、前記傾斜面の面に対して同一の面方向に延伸して形成された構成であることを特徴とする請求項１に記載の配管支持具用振止め吊下具。
【請求項６】
前記ナット部材が、前記傾斜面に対して角度可変に取付けられた構成であることを特徴とする請求項１〜５のいずれかに記載の配管支持具用振止め吊下具。
【請求項７】
前記頂部板の山頂部に透孔が穿設され、該透孔に前記吊下杆を螺合固定するナット部材が回転自在に取付けられた構成であることを特徴とする請求項１〜６のいずれかに記載の配管支持具用振止め吊下具。
【請求項８】
前記ナット部材が、前記山頂部に対して角度可変に取付けられた構成であることを特徴とする請求項７に記載の配管支持具用振止め吊下具。
【考案の詳細な説明】
【技術分野】
【０００１】
本考案は配管支持具用振止め支持具に関し、詳しくは天井スラブ等の取付面に、水道管、ガス管、冷・暖房管等の各種配管を防振状態で吊下支持する振止め吊下具に関する。
【背景技術】
【０００２】
天井スラブ等の取付面に吊りボルト等の支持部材による吊下支持に加えて、前記取付け面から斜めに垂設した吊下支持杆を付加すること等によって２点支持乃至は３点支持して防振（防震）構造とした技術としては、例えば、特許文献１に記載のものが知られている。
【０００３】
しかし、特許文献１に記載の技術では、吊下支持杆を連結部材を介して吊りボルトに連結しているため、強い揺れや振れ（激震）に対しては強度不足となる虞がある。
【０００４】
また特許文献２に記載のように、取付面から枢支取付部を介して吊下支持杆を斜めに垂設し、更に該吊下支持杆を枢支取付部を介して配管支持具と連結することで吊下支持する技術も知られている。
【０００５】
しかし、特許文献２の技術は、柔構造の建物・構築物に対しては効果的であるが、剛構造の建物・構築物に対しては最適ではないことが判った。
【０００６】
【特許文献１】実公平０４−０１６５６９号
【特許文献２】特願２００７−２００３７７号の図９
【考案の開示】
【考案が解決しようとする課題】
【０００７】
そこで本考案の課題は、剛構造に適した配管支持具用振止め吊下具を提供することにある。
【課題を解決するための手段】
【０００８】
上記課題を解決する本考案は下記構成を有する。
【０００９】
１．天井スラブ等の取付面に固定されて垂設される少なくとも２本の吊下支持杆に配管支持具を吊下げると共に振止めする吊下具において、
前記吊下具はタンバックルであり、タンバックル本体の頂部板が山形状に曲折されており、この山形状の頂部板の山頂部から斜め下方に傾斜する山腹部である２つの傾斜面の各々に少なくとも１つずつの透孔が穿設され、該透孔に前記吊下支持杆を螺合固定するナット部材が回転自在に取付けられた構成であることを特徴とする配管支持具用振止め吊下具。
【００１０】
２．配管支持バンドの如き配管支持具が取付けられる前記タンバックル本体の取付部が、前記頂部板の傾斜面の下端部を下方に延伸すると共に、前記傾斜面の面に対して同一の面方向に延伸して形成された構成であることを特徴とする上記１に記載の配管支持具用振止め吊下具。
【００１１】
３．配管支持バンドの如き配管支持具が取付けられる前記タンバックル本体の取付部が、前記頂部板の傾斜面の下端部を下方に延伸すると共に、前記傾斜面の面に対して略９０度捩った面方向に延伸して形成された構成であることを特徴とする上記１に記載の配管支持具用振止め吊下具。
【００１２】
４．配管支持バンドの如き配管支持具が取付けられる前記タンバックル本体の取付部が、前記頂部板の両側端縁部の各々を下方に延伸すると共に、前記傾斜面の面に対して略９０度捩った面方向に延伸して形成された構成であることを特徴とする上記１に記載の配管支持具用振止め吊下具。
【００１３】
５．配管支持バンドの如き配管支持具が取付けられる前記タンバックル本体の取付部が、前記頂部板の両側端縁部の各々を下方に延伸すると共に、前記傾斜面の面に対して同一の面方向に延伸して形成された構成であることを特徴とする上記１に記載の配管支持具用振止め吊下具。
【００１４】
６．前記ナット部材が、前記傾斜面に対して角度可変に取付けられた構成であることを特徴とする上記１〜５のいずれかに記載の配管支持具用振止め吊下具。
【００１５】
７．前記頂部板の山頂部に透孔が穿設され、該透孔に前記吊下杆を螺合固定するナット部材が回転自在に取付けられた構成であることを特徴とする上記１〜６のいずれかに記載の配管支持具用振止め吊下具。
【００１６】
８．前記ナット部材が、前記山頂部に対して角度可変に取付けられた構成であることを特徴とする上記７に記載の配管支持具用振止め吊下具。
【考案の効果】
【００１７】
請求項１に示す考案によれば、剛構造に適した配管支持具用振止め吊下具を提供することができる。
【００１８】
特に、吊下支持杆をタンバックル自体に連結する構成のため、簡単な構造で高い強度を得ることができる。
【００１９】
更に、２つの傾斜面の少なくとも一方に透孔が２つ以上穿設されてナット部材が取付けられた構成とすれば、１つの傾斜面に対して２本以上の吊下支持杆を連結することができるので、より高い強度を得ることで振止め効果をより向上させることができる。
【００２０】
請求項２又は４に示す考案によれば、配管軸直交方向への揺れに対して防振することができる。
【００２１】
請求項３又は５に示す考案によれば、配管軸方向への揺れに対して防振することができる。
【００２２】
請求項６に示す考案によれば、タンバックル本体の頂部板に対する吊下支持杆の連結角度角度を変えることができるので、取付面に対する吊下支持杆の取付位置の調整が適宜可能となる。
【００２３】
請求項７に示す考案によれば、取付面から垂設される吊りボルトから吊下支持が可能となる。
【００２４】
請求項８に示す考案によれば、タンバックル本体の頂部板の山頂部に対する吊りボルトの連結角度を変えることができるので、吊りボルトによる斜め状態の吊下支持にも対応可能となる。
【考案を実施するための最良の形態】
【００２５】
本考案に係る配管支持具用振止め吊下具の防振構造の詳細について、添付の図面に基づき説明する。
【００２６】
図１は本考案に係る配管支持具用振止め吊下具の第１実施例を示す４面図（正面図、平面図、底面図、左側面図）、図２は図１の配管支持具用振止め吊下具の使用状態の一例を示す正面図、図３は本考案に係る配管支持具用振止め吊下具の第２実施例を示す４面図（正面図、平面図、底面図、左側面図）、図４は図３の配管支持具用振止め吊下具の使用状態の一例を示す正面図、図５は本考案に係る配管支持具用振止め吊下具の第３実施例を示す４面図（正面図、平面図、底面図、左側面図）、図６は本考案に係る配管支持具用振止め吊下具の第４実施例を示す４面図（正面図、平面図、底面図、左側面図）、図７は本考案に係る配管支持具用振止め吊下具のタンバックル本体の他の実施例を示す正面図、図８は本考案に係る配管支持具用振止め吊下具に用いられるナット部材の他の実施例を示す概略説明図である。
【００２７】
先ず、本考案に係る配管支持具用振止め吊下具（以下、単に振止め吊下具ということもある。）の第１実施例について図１及び図２に基き説明する。
【００２８】
本考案に係る振止め吊下具１の第１実施例は、図１に示すような具体的構成を有し、使用に際しては図２に示すように天井スラブ等の取付面２に固定されて垂設される少なくとも２本（本実施例では２本）の吊下支持杆３・３に、配管Ｐを抱持した配管支持具４を配管軸直交方向において吊下げると共に振止めする吊下具である。
【００２９】
第１実施例に示す振止め吊下具１の具体的構成としては、該振止め吊下具１はタンバックルであり、タンバックル本体１０の頂部板１１が山形状（本実施例ではヘ字状の山形）に曲折されており、この山形状の頂部板１１の山頂部から斜め下方に傾斜する山腹部である２つの傾斜面１２の各々に少なくとも１つずつ（本実施例では１つずつ）の透孔１３が穿設され、該透孔１３に前記吊下支持杆３を螺合固定するナット部材１４が回転自在に取付けられており、更に、配管支持具４が取付けられる前記タンバックル本体１０の取付部１５が、前記頂部板１１の傾斜面１２の下端部を下方に延伸すると共に、前記傾斜面１２の面に対して同一の面方向に延伸して形成された構成を有する。
【００３０】
ナット部材１４は、回転自在を維持した状態で且つ傾斜面１２に穿設された透孔１３から脱落しないように、タンバックル本体１０の一部を切り起こし等によって形成したナット部材抑え突起１６によって底面から支持されていることが好ましい。尚、このナット部材１４の脱落防止構成としては、この種の配管支持具においてナット部材を脱落防止状態で且つ回転自在に取付ける構成として公知公用の構成を特別の制限無く採ることができる。尚また、ナット部材１４の構成についても、本実施例のような透孔１３の径よりも大である鍔部を有する構成のものに限定されず、この種の配管支持具において回転自在に取付けられるナット部材の構成として公知公用の構成を特別の制限無く採ることができる。
【００３１】
タンバックル本体１０への配管支持具４の取付けは、該配管支持具４の抱持部に配管Ｐを抱持した状態で抱持部両端部を取付部１５に穿設された透孔１７に挿通するボルト・ナットにより固定する。
【００３２】
尚、配管支持具４は配管Ｐを抱持する構成に限らず、タンバックルに取付けられることで配管Ｐ（水道管、ガス管、冷・暖房管等の各種配管及び電線等）を取付面２から吊下支持する構成の公知公用の配管支持具類を特別の制限無く用いることができる。
【００３３】
以上、本考案に係る配管支持具用振止め吊下具の第１実施例について説明したが、本考案は上記第１実施例の配管軸直交方向での振止め吊下支持に限定されず、配管軸方向での振止め吊下支持にも適用することができる。
【００３４】
図３及び図４に基き、配管軸方向での振止め吊下支持に用いる振止め吊下具１の第２実施例について説明する。
【００３５】
本考案に係る振止め吊下具１の第２実施例は、図３に示すような具体的構成を有し、使用に際しては図４に示すように天井スラブ等の取付面２に固定されて垂設される少なくとも２本（本実施例では２本）の吊下支持杆３・３に、配管Ｐを抱持した配管支持具４を配管軸方向において吊下げると共に振止めする吊下具である。
【００３６】
第２実施例に示す振止め吊下具１の具体的構成としては、タンバックル本体１０の頂部板１１の構成、即ち、２つの傾斜面１２、該２つの傾斜面１２の各々に少なくとも１つずつ（本実施例では１つずつ）の穿設された透孔１３、該透孔１３に回転自在に取付けられて吊下支持杆３を螺合固定するナット部材１４、の各々の構成は上記第１実施例と同様の構成を有する。
【００３７】
第２実施例では、配管支持具４が取付けられる前記タンバックル本体１０の取付部１５の構成が上記第１実施例とは異なり、該取付部１５が、頂部板１１の傾斜面１２の下端部を下方に延伸すると共に、前記傾斜面１２の面に対して略９０度捩った面方向に延伸して形成された構成を有する。即ち、取付部１５を上記第１実施例より略９０度捩った構成とすることで、配管軸方向での配管支持具４の振止め吊下支持となる。
【００３８】
次に、タンバックル本体１０の構成が異なる第３実施例及び第４実施例について説明する。
【００３９】
先ず、図５に基き、配管軸直交方向での振止め吊下支持に用いる振止め吊下具１の第３実施例について説明する。
【００４０】
本考案に係る振止め吊下具１の第３実施例は、図５に示すような具体的構成を有することで天井スラブ等の取付面に固定されて垂設される少なくとも２本の吊下支持杆に、配管を抱持した配管支持具を配管軸直交方向において吊下げると共に振止めする吊下具である。
【００４１】
第３実施例に示す振止め吊下具１の具体的構成としては、タンバックル本体１０の頂部板１１の構成、即ち、２つの傾斜面１２、該２つの傾斜面１２の各々に少なくとも１つずつ（本実施例では１つずつ）の穿設された透孔１３、該透孔１３に回転自在に取付けられて吊下支持杆３を螺合固定するナット部材１４、の各々の構成は上記第１実施例及び第２実施例と同様の構成を有する。
【００４２】
第３実施例では、配管支持具４が取付けられる前記タンバックル本体１０の取付部１５の構成が上記第１実施例及び第２実施例とは異なり、該取付部１５が、傾斜面１２の下端部ではなく頂部板１１の両側端縁部の各々を下方に延伸すると共に、前記傾斜面１２の面に対して略９０度捩った面方向に延伸して形成された構成を有する。かかる構成によって、上記第１実施例と同様に配管軸直交方向での配管支持具４の振止め吊下支持が可能となる。
【００４３】
次に、図６に基き、配管軸方向での振止め吊下支持に用いる振止め吊下具１の第４実施例について説明する。
【００４４】
本考案に係る振止め吊下具１の第４実施例は、図６に示すような具体的構成を有することで天井スラブ等の取付面に固定されて垂設される少なくとも２本の吊下支持杆に、配管を抱持した配管支持具を配管軸直交方向において吊下げると共に振止めする吊下具である。
【００４５】
第４実施例に示す振止め吊下具１の具体的構成としては、タンバックル本体１０の頂部板１１の構成、即ち、２つの傾斜面１２、該２つの傾斜面１２の各々に少なくとも１つずつ（本実施例では１つずつ）の穿設された透孔１３、該透孔１３に回転自在に取付けられて吊下支持杆３を螺合固定するナット部材１４、の各々の構成は上記第１実施例及び第２実施例並びに第３実施例と同様の構成を有する。
【００４６】
第４実施例では、配管支持具４が取付けられる前記タンバックル本体１０の取付部１５の構成が上記第３実施例と同様、該取付部１５が、傾斜面１２の下端部ではなく頂部板１１の両側端縁部の各々を下方に延伸する構成であるが、上記第３実施例のようにこの延伸した部分を傾斜面１２の面に対して略９０度捩るのではなく、前記傾斜面１２の面に対して同一の面方向に延伸して形成された構成を有する。かかる構成によって、上記第２実施例と同様に配管軸直交方向での配管支持具４の振止め吊下支持が可能となる。
【００４７】
以上、本考案に係る配管支持具用振止め吊下具は、上記した第１実施例〜第４実施例に挙げた態様に限定されず、本考案の範囲内において他の態様を採ることができる。
【００４８】
例えば、タンバックル本体１０の頂部板１１に穿設される透孔１３の数は一つの傾斜面１２に１つに限らず２つ以上穿設することで吊下支持杆の支持数を増やしてもよいし、図７に示すように頂部板１１の山頂部１９にも少なくとも１つ（図７では１つ）の透孔１３を付加することで、従来の吊りボルトによる吊下支持と同様の略垂直方向での吊下支持構成を付加してもよい。尚、傾斜面１２の透孔１３の数を増やしたり、山頂部１９に透孔１３を付加した場合であっても、穿設されている透孔１３の数と一致する本数の吊下支持杆を用いて振止め吊下する必要はなく、吊下現場に応じて吊下支持杆の数と用いる透孔１３の位置を適宜決定すればよい。尚また、透孔１３に回転自在に取付けるナット部材１４についても、穿設されている透孔１３の全てに取付ける必要はなく、螺合固定する吊下支持杆の本数に応じた個数のナット部材１４を、振止め吊下する位置角度に応じて適宜選択した位置の透孔１３に回転自在に取付ければよい。この場合、ナット部材１４は透孔１３に対して着脱可能に取付ける構成となる。
【００４９】
また、透孔１３に回転自在に取付けられるナット部材１４を、図８に示すような凸球面状の鍔部１４Ａを有する構成のものとすることで、頂部板１１の傾斜面１２に対して角度可変に取付けられるようにしてもよい。尚、頂部板１１の山頂部１９に透孔１３を穿設してナット部材１３を取付ける構成の場合にも、この凸球面状の鍔部１４Ａを有する構成のナット部材１３を取付けてもよい。
【００５０】
更に、ナット部材１４を回転自在に取付ける透孔１３を丸孔ではなく長孔とすることで配管軸方向又は配管軸直交方向に取付位置を調整できるようにしてもよい。
【図面の簡単な説明】
【００５１】
【図１】本考案に係る配管支持具用振止め吊下具の第１実施例を示す４面図（正面図、平面図、底面図、左側面図）
【図２】図１の配管支持具用振止め吊下具の使用状態の一例を示す正面図
【図３】本考案に係る配管支持具用振止め吊下具の第２実施例を示す４面図（正面図、平面図、底面図、左側面図）
【図４】図３の配管支持具用振止め吊下具の使用状態の一例を示す正面図
【図５】本考案に係る配管支持具用振止め吊下具の第３実施例を示す４面図（正面図、平面図、底面図、左側面図）
【図６】本考案に係る配管支持具用振止め吊下具の第４実施例を示す４面図（正面図、平面図、底面図、左側面図）
【図７】本考案に係る配管支持具用振止め吊下具のタンバックル本体の他の実施例を示す正面図
【図８】本考案に係る配管支持具用振止め吊下具に用いられるナット部材の他の実施例を示す概略説明図
【符号の説明】
【００５２】
１  配管支持具用振止め吊下具
１０  タンバックル本体
１１  頂部板
１２  傾斜面
１３  透孔
１４  ナット部材
１４Ａ  鍔部
１５  取付部
１６  ナット部材抑え突起
１７  透孔
１８  ボルト・ナット
１９  山頂部
２  取付面
３  吊下支持杆
４  配管支持具
４１  バンド端部
Ｐ  配管
【図１】
0003148315.tif 000003
【図２】
0003148315.tif 000004
【図３】
0003148315.tif 000005
【図４】
0003148315.tif 000006
【図５】
0003148315.tif 000007
【図６】
0003148315.tif 000008
【図７】
0003148315.tif 000009
【図８】
0003148315.tif 000010